(57)【要約】      （修正有）【課題】切り分けるケーキの大きさを同じにすることができるケーキナイフを提供する。【解決手段】ケーキナイフ１は、板片を一体成型した第一板１１と第二板１２とからなり、第一、第二板の第一端は相互に連接する。第一、第二板の第二端はそれぞれ、第一連接片１３と第二連接片１４を設置し、第一、第二連接片は、Ｖ字型持ち手を連接する。第二連接片１４は複数の洞孔１４１を設置し、Ｖ字型持ち手１５一側は、作動部１６１とフック１６２を有する調整片１６を連接し、第一連接片１３、或いは、第二連接片１４下端は、支承板２を枢設し、使用者は切り取りたい大きさによって、フック１６２を洞孔１４１に係入し、第一、第二板と第一、第二連接片により、切りたいケーキ形状の領域空間を囲み、ケーキを切った後、支承板２を旋転させて、領域空間内に進入して、切った後のケーキを支承し、ケーキを取り出す。  【選択図】図２
0003146314.tif 000002
【実用新案登録請求の範囲】
【請求項１】
ケーキナイフであって、
第一端に突片を設置し、第二端は第一連接片を設置する第一板と、
第一端が、前記突片を穿過するスロットを設置し、第二端は第二連接片を設置し、前記第二連接片が複数の洞孔を有する第二板と、
両端がそれぞれ、前記第一連接片と前記第二連接片に連接され、一側が調整片を設置し、前記調整片の一端が作動部と前記洞孔に係入するフックを有するＶ字型持ち手と、
前記第一連接片と前記第二連接片の下端に枢設されると共に、枢軸に棒を連接する支承板と、からなり、
前記突片は、前記スロットを穿過し、且つ、前記フックが前記洞孔に係入する時、前記第一板、前記第二板、前記第一連接片と前記第二連接片が、切り取るケーキの領域空間を囲み、前記支承板が前記領域空間に旋転進入するとき、切り取った後のケーキを支承する素子となることを特徴とするケーキナイフ。
【請求項２】
前記支承板の枢軸は弾性素子を設置することを特徴とする請求項１に記載のケーキナイフ。
【請求項３】
前記洞孔の内径で、前記フックが移動でき、前記第一連接片と前記第二連接片が相対移動する過程で、ケーキを挟み取ることを特徴とする請求項１に記載のケーキナイフ。
【考案の詳細な説明】
【技術分野】
【０００１】
本考案は、ケーキナイフに関するものであって、特に、ケーキを特定の大きさに切ることができ、且つ、切った後のケーキをケーキ皿に挟み取ることができるケーキナイフに関するものである。
【背景技術】
【０００２】
ホールケーキを買うと、ケーキを切るためのナイフが添えられていて、そのナイフは、形状は一般のナイフと同じであるが、材質がプラスチックである。よって、ケーキカットの方法は一般のナイフの時となんら変わりはない。ケーキを切る時、通常は、目視により、切り分けるケーキの大小を判断するが、多少の誤差が出て、切り分けたケーキの大きさが異なることがある。この他、ケーキを切った後、そのナイフをケーキ底面に差し込み、ナイフにより、切った後のケーキを起こして、ケーキ皿に取り分けるが、柔らかいケーキは、ナイフ上で安定せず、ナイフ上のケーキを落としてしまうことがある。
【考案の開示】
【考案が解決しようとする課題】
【０００３】
本考案の目的は、切り分けるケーキの大きさを同じにすることができるケーキナイフを提供することにある。
【０００４】
本考案は、ケーキを切った後、ナイフをケーキ底面に差し込んで、ナイフによりケーキを起こして、ケーキ皿に取り分ける時、ケーキが落ちやすい問題を解決することをもう一つの目的とする。
【０００５】
本考案は、トングにより切ったケーキを挟む時、挟持力の制御不良により、過度に力が加わって、ケーキが損壊したり、挟持不足でケーキが脱落したりする問題を改善することを最後の目的とする。
【課題を解決するための手段】
【０００６】
上述の目的を達成するため、本考案のケーキナイフは、板片を一体成型した第一板と第二板とからなり、第一、第二板の第一端は相互に連接する。第一、第二板の第二端はそれぞれ、第一連接片と第二連接片を設置し、第一、第二連接片は、Ｖ字型持ち手を連接する。第二連接片は複数の洞孔を設置し、Ｖ字型持ち手一側は、作動部とフックを有する調整片を連接し、第一連接片、或いは、第二連接片下端は、支承板を枢設し、使用者は切り取りたい大きさによって、フックを洞孔に係入し、第一、第二板と第一、第二連接片により、切りたいケーキ形状の領域空間を囲み、ケーキを切った後、支障板を旋転させて、領域空間内に進入して、切った後のケーキを支承し、ケーキを取り出す。
【考案の効果】
【０００７】
本考案のケーキナイフは、カットするケーキの大きさを調整、設定でき、また、本ケーキナイフは、挟持功能を有するので、ケーキを切った後、直接、挟持して持ち上げ、挟持力が適当で、ケーキが損壊したり、脱落したりすることがない。
【考案を実施するための最良の形態】
【０００８】
図１と図２は、本考案の好ましい実施例によるケーキナイフ１を示す図である。好ましい実施例では、ステンレス、或いは、その他の適当な板材を使用し、スタンプ成型により、特定形状に成型し、その後、湾曲加工で、第一板１１、第二板１２を成型する。第一板１１の第一端は突片１１１を設置し、第二端は、第一連接片１３を一体連接し、第一連接片１３は、更に、Ｖ字型持ち手１５の一端を連接する。第二板１４の第一端は、突片１１１が穿過するスロット１２１を設置する。第二端は、第二連接片１４を連接し、第二連接片１４は、更に、Ｖ字型持ち手１５のもう一端を連接し、且つ、第二連接片１４は、複数の洞孔１４１を設置する。Ｖ字型持ち手１５の一側は調整片１６を一体成型し、調整片１６の一端は、それぞれ、異なる方向の作動部１６１とフック１６２を湾曲成型する。好ましい実施例において、洞孔１４１の内径は、フック１６２が移動できる大きさである。更に、本考案は、第一連接片１３の下辺に支承板２を枢設し、支承板２の枢軸は、弾性素子２２を設置し、枢軸上端は棒２１を設置し、棒２１を弾いて、支承板２が、第一、第二板１１、１２と第一、第二連接片１３、１４により囲まれる空間に旋転進入し、弾性素子２２の弾力を保存して、一旦、棒２１が解放されると、弾性素子２２は、弾力をを釈放して、支承板２を元の位置に戻す。
【０００９】
前述のケーキナイフの使用方式は、まず、第一板１１の突片１１１が、第二板１２のスロット１２１を穿過し、第一板１１と第一板１２の第一端が相互に連接する。その後、調整片１６上のフック１６２が、第二連接片１４の洞孔１４１に係合し、第一、第二板１１、１２と第一、第二連接片１３、１４が、共同で、扇形領域を構成する。この扇形領域は、ケーキを切り取る領域で、組み合わせ後の形態は、図１で示される。本考案は、フック１６２を、洞孔１４１の位置に設置して、切り取るケーキの大きさを調整することができる。図４Ａで示される構造によると、フック１６２が、第二連接片１４上の最左側の洞孔１４１に設置される場合、囲まれる扇形領域は最大である。フック１６２が第二連接片１４上の最右側の洞孔１４１に設置される場合（図４Ｂで示される）、扇形領域を縮小することができる。フック１６２が最右側の洞孔１４１に設置されるとき、囲まれる扇形領域は最小で（図４Ｃで示される）、使用者は、好みに応じて調整できる。その調整方式は、直接、手指で、作動部１６１を動かし、フック１６２が離れるか、或いは、洞孔１４１に係入することができる。
【００１０】
ナイフの調整後、直接、ケーキを切ることができる。切る方式は、第一、第二板１１、１２の第一端を、ケーキの中心点に向け、上から下に、第一、第二板１１、１２が、ケーキをカットし、同時に、第一、第二板１１、１２が、ケーキを扇形に切り、切った後、ナイフを起こす前（図５Ａで示される）、使用者は、直接、棒２１を操作して、支承板２を扇形空間に旋転進入させ（図５Ｂと図５Ｃで示される）、支承板２をケーキ下方に移入し、このとき、Ｖ字型持ち手１５を握り、ケーキをすくう。この他、ケーキを取る時に安定させるため、使用者は、支承板２を操作して、ケーキを支承すると同時に、Ｖ字型持ち手１５の相対する両側を押圧して、第一連接片１３と第二連接片１４を相対移動させ、最後に、第一板１１と第一板１２を相対させて、カット後のケーキを挟持し、ケーキをすくうのを補助し、ケーキを放した後、Ｖ字型持ち手１５と棒２１を解放し、Ｖ字型持ち手１５により、第一、第板１１、１２を元に回復させ、弾性素子２２の弾力により、支承板２を第一、第二連接片１３，１４の下端辺に回復させて、次のカットに便利である。
【図面の簡単な説明】
【００１１】
【図１】本考案のケーキナイフ全体構造の第一角度の立体図である。
【図２】本考案のケーキナイフ全体構造の第二角度の立体図である。
【図３】本考案のケーキナイフ全体構造の側視平面図である。
【図４Ａ】本考案のケーキナイフが最大切り取り領域に調整された実施例を示す図である。
【図４Ｂ】本考案のケーキナイフが取り領域を縮小する実施例を示す図である。
【図４Ｃ】本考案のケーキナイフが最小切り取り領域に調整された実施例を示す図である。
【図５Ａ】本考案のケーキナイフの支承板の収合状態の平面図である。
【図５Ｂ】本考案のケーキナイフの支承板が切り取り領域範囲内で移動する平面図である。
【図５Ｃ】本考案のケーキナイフの支承板が更に、切り取り領域範囲内で移動する平面図である。
【符号の説明】
【００１２】
ケーキナイフ１
第一板１１
第二板１２
第一連接片１３
第二板１４
Ｖ字型持ち手１５
調整片１６
棒２１
弾性素子２２
突片１１１
スロット１２１
洞孔１４１
作動部１６１
フック１６２
【図１】
0003146314.tif 000003
【図２】
0003146314.tif 000004
【図３】
0003146314.tif 000005
【図４Ａ】
0003146314.tif 000006
【図４Ｂ】
0003146314.tif 000007
【図４Ｃ】
0003146314.tif 000008
【図５Ａ】
0003146314.tif 000009
【図５Ｂ】
0003146314.tif 000010
【図５Ｃ】
0003146314.tif 000011
【手続補正書】
【提出日】平成20年9月4日(2008.9.4)
【手続補正１】
【補正対象書類名】実用新案登録請求の範囲
【補正対象項目名】全文
【補正方法】変更
【補正の内容】
【実用新案登録請求の範囲】
【請求項１】
ケーキナイフであって、
第一端に突片を設置し、第二端は第一連接片を設置し、前記第一連接片が第二端と一角度をなし、且つ、同一体である第一板と、
第一端が、前記突片を穿過するスロットを設置し、第二端は第二連接片を設置し、前記第二連接片が前記第二端と一角度をなし、且つ、同一体で、前記第二連接片が複数の洞孔を有する第二板と、
両端がそれぞれ、前記第一連接片と前記第二連接片に連接され、末端の一側に調整片を設置し、前記調整片の一端が押圧部と前記洞孔に係入するフックを有するＶ字型持ち手と、
前記第一連接片と前記第二連接片の下端に枢設されると共に、枢軸に棒を連接する支承板と、からなり、
前記突片は、前記スロットを穿過し、且つ、前記フックが前記洞孔に係入する時、前記第一板、前記第二板、前記第一連接片と前記第二連接片が、切り取るケーキの領域空間を囲み、前記支承板が前記領域空間に旋転進入するとき、切り取った後のケーキを支承する素子となることを特徴とするケーキナイフ。
【請求項２】
前記支承板の枢軸は弾性素子を設置し、前記支障板を元の位置に回復させることを特徴とする請求項１に記載のケーキナイフ。
【請求項３】
前記洞孔は前記フックが移動でき、前記第一連接片と前記第二連接片が相対移動する過程で、ケーキを挟み取ることを特徴とする請求項１に記載のケーキナイフ。
【手続補正２】
【補正対象書類名】明細書
【補正対象項目名】０００６
【補正方法】変更
【補正の内容】
【０００６】
上述の目的を達成するため、本考案のケーキナイフは、板片を一体成型した第一板と第二板とからなり、第一、第二板の第一端は相互に連接する。第一、第二板の第二端はそれぞれ、第一連接片と第二連接片を設置し、第一、第二連接片は、Ｖ字型持ち手を連接する。第二連接片は複数の洞孔を設置し、Ｖ字型持ち手一側は、押圧部とフックを有する調整片を連接し、第一連接片、或いは、第二連接片下端は、支承板を枢設し、使用者は切り取りたい大きさによって、フックを洞孔に係入し、第一、第二板と第一、第二連接片により、切りたいケーキ形状の領域空間を囲み、ケーキを切った後、支障板を旋転させて、領域空間内に進入して、切った後のケーキを支承し、ケーキを取り出す。
【手続補正３】
【補正対象書類名】明細書
【補正対象項目名】０００８
【補正方法】変更
【補正の内容】
【０００８】
図１と図２は、本考案の好ましい実施例によるケーキナイフ１を示す図である。好ましい実施例では、ステンレス、或いは、その他の適当な板材を使用し、スタンプ成型により、特定形状に成型し、その後、湾曲加工で、第一板１１、第二板１２を成型する。第一板１１の第一端は突片１１１を設置し、第二端は、第一連接片１３を一体連接し、第一連接片１３は、更に、Ｖ字型持ち手１５の一端を連接する。第二板１４の第一端は、突片１１１が穿過するスロット１２１を設置する。第二端は、第二連接片１４を連接し、第二連接片１４は、更に、Ｖ字型持ち手１５のもう一端を連接し、且つ、第二連接片１４は、複数の洞孔１４１を設置する。Ｖ字型持ち手１５の一側は調整片１６を一体成型し、調整片１６の一端は、それぞれ、異なる方向の押圧部１６１とフック１６２を湾曲成型する。好ましい実施例において、洞孔１４１の内径は、フック１６２が移動できる大きさである。更に、本考案は、第一連接片１３の下辺に支承板２を枢設し、支承板２の枢軸は、弾性素子２２を設置し、枢軸上端は棒２１を設置し、棒２１を弾いて、支承板２が、第一、第二板１１、１２と第一、第二連接片１３、１４により囲まれる空間に旋転進入し、弾性素子２２の弾力を保存して、一旦、棒２１が解放されると、弾性素子２２は、弾力をを釈放して、支承板２を元の位置に戻す。
【手続補正４】
【補正対象書類名】明細書
【補正対象項目名】０００９
【補正方法】変更
【補正の内容】
【０００９】
前述のケーキナイフの使用方式は、まず、第一板１１の突片１１１が、第二板１２のスロット１２１を穿過し、第一板１１と第一板１２の第一端が相互に連接する。その後、調整片１６上のフック１６２が、第二連接片１４の洞孔１４１に係合し、第一、第二板１１、１２と第一、第二連接片１３、１４が、共同で、扇形領域を構成する。この扇形領域は、ケーキを切り取る領域で、組み合わせ後の形態は、図１で示される。本考案は、フック１６２を、洞孔１４１の位置に設置して、切り取るケーキの大きさを調整することができる。図４Ａで示される構造によると、フック１６２が、第二連接片１４上の最左側の洞孔１４１に設置される場合、囲まれる扇形領域は最大である。フック１６２が第二連接片１４上の最右側の洞孔１４１に設置される場合（図４Ｂで示される）、扇形領域を縮小することができる。フック１６２が最右側の洞孔１４１に設置されるとき、囲まれる扇形領域は最小で（図４Ｃで示される）、使用者は、好みに応じて調整できる。その調整方式は、直接、手指で、押圧部１６１を動かし、フック１６２が離れるか、或いは、洞孔１４１に係入することができる。
【手続補正５】
【補正対象書類名】明細書
【補正対象項目名】００１２
【補正方法】変更
【補正の内容】
【００１２】
ケーキナイフ１
第一板１１
第二板１２
第一連接片１３
第二板１４
Ｖ字型持ち手１５
調整片１６
棒２１
弾性素子２２
突片１１１
スロット１２１
洞孔１４１
押圧部１６１
フック１６２